(57)【要約】【課題】蓄冷材を用いて被保冷物を保冷する場合に、被保冷物の周囲の温度変化を簡易な方法で把握する。【解決手段】蓄冷材を保持し、該蓄冷材によって被保冷物を保冷するための蓄冷用シート１であって、断熱材からなるベースシート１０の一方の面に、蓄冷材を収納するための収納ポケット２１ａ〜２１ｄが設けられ、収納ポケット２１ａ〜２１ｄの被保冷物が配置される側の面に、所定の温度で色変化が生じる示温剤２７ａが付着している。【選択図】図１
2015087060.tif 000002
【特許請求の範囲】
【請求項１】
蓄冷材を保持し、該蓄冷材によって被保冷物を保冷するための蓄冷用シートであって、
断熱材からなるベースシートの一方の面に、前記蓄冷材を収納するための収納ポケットが設けられ、
前記収納ポケットの前記被保冷物が配置される側の面の少なくとも一部に、所定の温度で色変化が生じる示温剤が付着している蓄冷用シート。
【請求項２】
請求項１に記載の蓄冷用シートにおいて、
互いに異なる温度帯で色変化が生じる複数の示温剤が、前記収納ポケットの前記被保冷物が配置される側の面にて互いに異なる位置に付着している蓄冷用シート。
【請求項３】
請求項１に記載の蓄冷用シートにおいて、
互いに異なる温度帯で色変化が生じる複数の示温剤が、前記収納ポケットの前記被保冷物が配置される側の面にて重なり合うように付着している蓄冷用シート。
【発明の詳細な説明】
【技術分野】
【０００１】
本発明は、蓄冷材を保持するための蓄冷用シートに関する。
【背景技術】
【０００２】
近年、物流システムにおいては、物品を低温で輸送するサービスが、陸送、空輸を問わず提供されている。物品を低温で輸送する場合は、例えば、物品を収納するコンテナ内に蓄冷材を設置し、この蓄冷材の冷気によって物品を低温に保持した状態で輸送することが考えられる。また、倉庫内にて物品を低温で保管する場合も、倉庫内に蓄冷材を設置し、蓄冷材の冷気によって物品を低温で保管することが考えられる。
【０００３】
ここで、複数の蓄冷材を収納可能な蓄冷板が特許文献１に開示されている。この蓄冷板は、重ね合わされた２枚の合成樹脂の一部がシールされることで、蓄冷材を収納するポケットが複数設けられている。この蓄冷板を用いることにより、コンテナや倉庫等に手間をかけずに一度に多くの蓄冷材を設置することができるようになる。
【先行技術文献】
【特許文献】
【０００４】
【特許文献１】実開昭５７−２４９８５号
【発明の概要】
【発明が解決しようとする課題】
【０００５】
通常、上述したようなコンテナや倉庫等の物品の収納領域の温度変化は、蓄冷材から出る冷気と物品の収納領域の空気とが混合されることで生じる。そのため、物品の収納領域の温度の変化後にて収納領域の温度が所定の温度帯で維持されるように蓄冷材の性能や量が選択されることになる。
【０００６】
しかしながら、蓄冷材の性能や量が選択されたとしても、蓄冷材がコンテナや倉庫等の収納領域に取り付けられた後、温度変化が生じた収納領域の温度分布を簡単に把握することが困難であり、そのため、収納領域の温度が、その温度変化によって、収納された物品に適した温度ではなくなり、物品に悪影響が及んでしまう虞れがある。
【０００７】
本発明は、上述したような従来の技術が有する問題点に鑑みてなされたものであって、蓄冷材を用いて被保冷物を保冷する場合に、被保冷物の周囲の温度変化を簡易な方法で把握することができる蓄冷用シートを提供することを目的とする。
【課題を解決するための手段】
【０００８】
上記目的を達成するために本発明は、
蓄冷材を保持し、該蓄冷材によって被保冷物を保冷するための蓄冷用シートであって、
断熱材からなるベースシートの一方の面に、前記蓄冷材を収納するための収納ポケットが設けられ、
前記収納ポケットの前記被保冷物が配置される側の面の少なくとも一部に、所定の温度で色変化が生じる示温剤が付着している。
【０００９】
上記のように構成された本発明においては、収納ポケットに収納された蓄冷材の温度が上昇すること等によって、被保冷物の周囲の温度が上昇して所定の温度に達すると、収納ポケットの被保冷物が配置される側の面の少なくとも一部に付着している示温剤に色変化が生じ、この色変化によって、被保冷物の周囲の温度変化を把握することができる。
【００１０】
また、互いに異なる温度帯で色変化が生じる複数の示温剤が、収納ポケットの被保冷物が配置される側の面にて互いに異なる位置に付着していたり、収納ポケットの被保冷物が配置される側の面にて重なり合うように付着していたりすることにより、被保冷物の周囲の温度変化を多段階で把握することができる。
【００１１】
また、収納ポケットの被保冷物が配置される側の面の少なくとも一部に窓部を有することにより、蓄冷材として、所定の温度で色変化が生じる示温剤が含有したものを用いれば、収納ポケットの示温剤の色変化と併せて、蓄冷材の色変化を用いて被保冷物の周囲の温度変化を多段階で把握することができる。
【００１２】
また、収納ポケットが、ベースシートの前記一方の面側に配置されたポケット用シートがその一部にてベースシートと縫合または接合されることによって形成され、ポケット用シートが、メッシュ状のものであれば、蓄冷材の冷気を被保冷物の周囲に伝達しやすくすることができるとともに、収納ポケットへの蓄冷材の出し入れの際に摩擦抵抗が小さくなり、収納ポケットへ蓄冷材を出し入れしやすくなる。
【発明の効果】
【００１３】
本発明によれば、蓄冷材を収納するための収納ポケットの被保冷物が配置される側の面の少なくとも一部に、所定の温度で色変化が生じる示温剤が付着していることにより、示温剤の色変化によって、簡易な方法で被保冷物の周囲の温度変化を把握することができる。
【００１４】
また、互いに異なる温度帯で色変化が生じる複数の示温剤が、収納ポケットの被保冷物が配置される側の面にて互いに異なる位置に付着していたり、収納ポケットの被保冷物が配置される側の面にて重なり合うように付着していたりすることにより、被保冷物の周囲の温度変化を多段階で把握することができる。
【図面の簡単な説明】
【００１５】
【図１】本発明の蓄冷用シートの第１の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【図２】図１に示した蓄冷用シートでの蓄冷材の保持方法を説明するための図である。
【図３】図１に示した蓄冷用シートのコンテナへの設置方法を説明するための図であり、（ａ）はコンテナへの取り付け方法を示す図、（ｂ）はコンテナ内に蓄冷用シートが取り付けられた状態を示す図である。
【図４】図１に示したポケット用シートに付着している示温剤の特性を説明するための図である。
【図５】図１に示した蓄冷用シートにおける周囲温度による示温剤が示す色の変化を示す図である。
【図６】図１に示した蓄冷用シートの収納ポケットからの蓄冷材の取り出し方法を説明するための図である。
【図７】本発明の蓄冷用シートの第２の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【図８】図７に示したポケット用シートに付着している示温剤の特性を説明するための図である。
【図９】図７に示した蓄冷用シートにおける周囲温度による示温剤が示す色の変化を示す図である。
【図１０】本発明の蓄冷用シートの第３の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【図１１】図１０に示したポケット用シートに付着している示温剤の特性を説明するための図である。
【図１２】図１０に示した蓄冷用シートにおける周囲温度による示温剤が示す色の変化を示す図である。
【図１３】本発明の蓄冷用シートの第４の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【図１４】図１３に示した蓄冷用シートの使用状態における変化を示す図である。
【発明を実施するための形態】
【００１６】
以下に、本発明の実施の形態について図面を参照して説明する。
【００１７】
（第１の実施の形態）
図１は、本発明の蓄冷用シートの第１の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【００１８】
本形態は図１に示すように、長方形のベースシート１０の一方の面に、４つの収納ポケット２１ａ〜２１ｄが、ベースシート１０の長手方向に並んで設けられて構成された蓄冷用シート１である。
【００１９】
ベースシート１０は、断熱材からなるものであり、例えば、発泡ポリエチレンとアルミ蒸着ＰＥＴフィルムからなるものや、発泡ポリエチレンとポリエチレン不織布とアルミ蒸着フィルムからなるものや、ポリエステルのキルティング生地とアルミ蒸着フィルムからなるものや、断熱グラスウールを付着させたものや、多孔質シリカを付着させたシリカファイバーシートや、エアロジェルからなるもの等を用いることができる。ベースシート１０は、収納ポケット２１ａ〜２１ｄのそれぞれに対応して、収納ポケット２１ａ〜２１ｄに蓄冷材を収納するための収納口となる開口部２４ａ〜２４ｄ（２４ａのみ図示）と、収納ポケット２１ａ〜２１ｄとは反対側に開くように構成され、開口部２４ａ〜２４ｄを覆う蓋部２３ａ〜２３ｄとが設けられている。また、ベースシート１０の収納ポケット２１ａ〜２１ｄとは反対側には、収納ポケット２１ａ〜２１ｄの全てに渡って帯状の面ファスナー１１が取り付けられている。この開口部２４ａ〜２４ｄ及び蓋部２３ａ〜２３ｄと面ファスナー１１とは、ベースシート１０の短手方向の一端側に開口部２４ａ〜２４ｄ及び蓋部２３ａ〜２３ｄが設けられ、他端側に面ファスナー１１が取り付けられている。
【００２０】
収納ポケット２１ａ〜２１ｄは、ベースシート１０の一方の面側に配置されたポケット用シート２０が、その周縁部及び収納ポケット２１ａ〜２１ｄの境界にてベースシート１０と縫合されていることによって形成されており、それぞれ、蓄冷材に応じた大きさ及び蓄冷材の厚さ分だけのマチを有している。そのため、収納ポケット２１ａ〜２１ｄの境界には、ポケット用シート２０とベースシート１０とが縫合された縫合部２２ａ〜２２ｃが存在しており、収納ポケット２１ａ〜２１ｄは、ベースシート１０の長手方向において縫合部２２ａ〜２２ｃを介して隙間なく並べられた状態となっている。ポケット用シート２０は、例えばメッシュ状のシートからなり、収納ポケット２１ａ〜２１ｄに収納された蓄冷材による冷気をポケット用シート２０側から収納ポケット２１ａ〜２１ｄの外部に伝達しやすくしている。また、ポケット用シート２０をメッシュ状のシートからなるものとすることにより、収納ポケット２１ａ〜２１ｄへの蓄冷材の出し入れの際に摩擦抵抗が小さくなり、収納ポケット２１ａ〜２１ｄへ蓄冷材を出し入れしやすくなる。なお、ポケット用シート２０は、メッシュ状のシートである必要はないが、ベースシート１０よりも断熱性が低いことが好ましい。また、ポケット用シート２０には、所定の温度で色変化が生じる示温剤２７ａが付着している。この示温剤２７ａは、少なくともポケット用シート２０のベースシート１０とは反対側の面、すなわち、被保冷物が配置される側の面に、例えば印刷等によって付着しており、それにより、収納ポケット２１ａ〜２１ｄの色が周囲の温度変化に伴って変化する。なお、示温剤２７ａのポケット用シート２０への付着方法は、印刷に限らず、ポケット用シート２０を示温剤２７ａによって染めたり、スプレーによって示温剤２７ａをポケット用シート２０に塗布したり、示温剤２７ａをポケット用シート２０に練り込んだりしてもよい。なお、示温剤２７ａを構成する示温材料としては、本発明では可逆性示温材を用いることが好ましい。可逆性示温剤としては、例えば、電子供与性呈色性有機化合物、電子受容性化合物及び極性有機化合物の３つの成分から構成されているものが挙げられる。これらの種類等によって、色が変化する温度を制御することができる。
【００２１】
ベースシート１０及びポケット用シート２０の周縁部は、縁カバー３０によって覆われている。この縁カバー３０によって覆われた領域のうち、ベースシート１０の開口部２４ａ〜２４ｄ及び蓋部２３ａ〜２３ｄが設けられた側の端辺には、ベースシート１０、ポケット用シート２０及び縁カバー３０を表裏貫通した孔部３１が所定の間隔を有して形成されている。
【００２２】
以下に、上記のように構成された蓄冷用シートの使用方法について説明する。
【００２３】
まず、図１に示した蓄冷用シート１での蓄冷材の保持方法について説明する。
【００２４】
図２は、図１に示した蓄冷用シート１での蓄冷材の保持方法を説明するための図である。
【００２５】
図１に示した蓄冷用シート１においては、収納ポケット２１ａ〜２１ｄに蓄冷材を収納することによって蓄冷材を保持することになる。図２（ａ）〜（ｃ）においては、収納ポケット２１ａへの蓄冷材の収納方法を示すが、収納ポケット２１ｂ〜２１ｄへの蓄冷材の収納方法も同様である。
【００２６】
収納ポケット２１ａに蓄冷材を収納する場合は、まず、図２（ａ）に示すように、ベースシート１０に設けられた蓋部２３ａを捲り上げる。
【００２７】
次に、図２（ｂ）に示すように、開口部２４ａから蓄冷材２を収納ポケット２１ａ収納していく。この際、開口部２４ａの両端部には、蓋部２３ａとは反対側に延びた２本のスリット２６ａが形成されているため、ベースシート１０の２本のスリット２６ａに挟まれた領域を収納ポケット２１ａとは反対側に捲ることによって開口部２４ａを大きく開口させて蓄冷材２を収納ポケット２１ａに収納することができる。
【００２８】
そして、蓄冷材２が完全に収納ポケット２１ａに収納されると、図２（ｃ）に示すように、蓋部２３ａが元の状態に戻り、蓋部２３ａによって開口部２４ａが塞がれる。
【００２９】
このようにして、収納ポケット２１ａ〜２１ｄのそれぞれに蓄冷材２が収納された状態となり、図２（ｄ）に示すように、蓄冷用シート１にて４つの蓄冷材２が保持された状態となる。この際、収納ポケット２１ａ〜２１ｄが、ベースシート１０の長手方向において縫合部２２ａ〜２２ｃを介して隙間なく並べられた状態となっているとともに、蓄冷材に応じた大きさを有しているため、収納ポケット２１ａ〜２１ｄに収納された蓄冷材２が互いに近接した状態となる。
【００３０】
次に、物品が収納される収納領域となるコンテナへの蓄冷用シート１の設置方法について説明する。
【００３１】
図３は、図１に示した蓄冷用シート１のコンテナへの設置方法を説明するための図であり、（ａ）はコンテナへの取り付け方法を示す図、（ｂ）はコンテナ内に蓄冷用シート１が取り付けられた状態を示す図である。
【００３２】
図３（ａ）に示すように、本形態において物品が収納されるコンテナの内壁１０４には、所定間隔で突起１０３が設けられているとともに、その下方に面ファスナー１０２が取り付けられている。この突起１０３と面ファスナー１０２の内壁１０４における相対位置は、図１に示した蓄冷用シート１の孔部３１と面ファスナー１１との相対位置に応じたものとなっている。
【００３３】
そこで、図３（ａ）に示すように、ベースシート１０の収納ポケット２１ａ〜２１ｄとは反対側が内壁１０４に対向するように、内壁１０４に設けられた突起１０３を蓄冷用シート１の孔部３１に通して掛けるとともに、蓄冷用シート１の面ファスナー１１と内壁１０４の面ファスナー１０２とを接合させることによって、蓄冷用シート１をコンテナの内壁に取り付けて設置することができる。この際、孔部３１は、蓄冷用シート１の縁カバー３０によって覆われた領域のうち、開口部２４ａ〜２４ｄ及び蓋部２３ａ〜２３ｄが設けられた側の端辺に設けられているため、図３（ａ）に示すように、開口部２４ａ〜２４ｄ及び蓋部２３ａ〜２３ｄが設けられた側が上方に位置することになり、それにより、収納ポケット２１ａ〜２１ｄに収納された蓄冷材２が開口部２４ａ〜２４ｄから脱落しにくい状態となっている。また、このようにベースシート１０の収納ポケット２１ａ〜２１ｄとは反対側を取り付け面としてコンテナの内壁１０４に取り付けた場合、収納ポケット２１ａ〜２１ｄに蓄冷材２を収納するための開口部２４ａ〜２４ｄ及び蓋部２３ａ〜２３ｄが表出せず、見栄えが悪くなってしまうことがない。また、これによっても、蓄冷材２を脱落しにくくすることができる。
【００３４】
このようにして、図３（ｂ）に示すように、蓄冷用シート１をコンテナ１００の内壁１０４の全面に取り付けることができる。この際、収納ポケット２１ａ〜２１ｄが、ベースシート１０の長手方向において縫合部２２ａ〜２２ｃを介して隙間なく並べられた状態となっているとともに、蓄冷材に応じた大きさを有していることにより、収納ポケット２１ａ〜２１ｄに収納された蓄冷材２が互いに近接した状態となっているため、限られた空間に、より多くの蓄冷材２を取り付けることができる。また、コンテナ１００の内壁１０４に蓄冷用シート１を隙間なく取り付けることにより、コンテナ１００の内壁１０４を、蓄冷材２でほぼ覆われた状態とすることができる。
【００３５】
そして、このようにして蓄冷用シート１が内壁１０４に取り付けられたコンテナ１００内に被保冷物が収納されると、蓄冷用シート１の収納ポケット２１ａ〜２１ｄ側に被保冷物が配置された状態となり、収納ポケット２１ａ〜２１ｄに収納された蓄冷材２の冷気によってコンテナ１００内が保冷され、コンテナ１００内に収納された被保冷物を低温で保管、搬送することができる。
【００３６】
次に、蓄冷用シート１による作用について説明する。
【００３７】
上述したように、ポケット用シート２０には示温剤２７ａが付着している。そのため、この示温剤２７ａが示す色の変化によって、コンテナ１００内の温度変化を把握することができる。
【００３８】
図４は、図１に示したポケット用シート２０に付着している示温剤２７ａの特性を説明するための図である。また、図５は、図１に示した蓄冷用シート１における周囲温度による示温剤２７ａが示す色の変化を示す図である。なお、図５中、示温剤２７ａが青色を示している状態を右上がり斜線で示し、示温剤２７ａが白色を示している状態を斜線なしで示す。
【００３９】
図４に示すように、図１に示したポケット用シート２０に付着している示温剤２７ａは、周囲温度が１０℃以下では青色を示しており、１０℃を境としてそれよりも周囲温度が高くなると白色に変化する。
【００４０】
このような示温剤２７ａを用いた場合、蓄冷材２を、例えば０℃に保冷した状態で収納ポケット２１ａ〜２１ｄにそれぞれ収納し、蓄冷用シート１を上記のようにコンテナ１００内に設置すると、初期状態においては、蓄冷材２が０℃からあまり変化していないため、収納ポケット２１ａ〜２１ｄの周囲温度は１０℃以下となり、図５（ａ）に示すように、収納ポケット２１ａ〜２１ｄはそれぞれ青色を有している。
【００４１】
この状態から時間が経過し、蓄冷材２の温度が上昇し、それに伴って収納ポケット２１ａ〜２１ｄの周囲温度が上昇して１０℃を超えると、図５（ｂ）に示すように、示温剤２７ａにて色変化が生じ、収納ポケット２１ａ〜２１ｄがそれぞれ白色となる。
【００４２】
これにより、収納ポケット２１ａ〜２１ｄの周囲温度が、１０℃以下であるのか、１０℃を超えているのかを把握することができるようになる。そのため、コンテナ１００内に収納される被保冷物の保管のための適温に応じた温度にて色変化が生じる示温剤を用いることで、コンテナ１００内の温度変化によって被保冷物への悪影響が及んでしまうことを事前に回避することができる。例えば、コンテナ１００内に収納される被保冷物の保管のための適温が１０℃以下であれば、上述したように１０℃にて色変化が生じる示温剤２７ａを用い、示温剤２７ａが示す色が青色から白色に変化した場合に蓄冷材２を取り換える等の処置を施せばよい。この際、収納ポケット２１ａ〜２１ｄの周囲温度と、コンテナ１００内に収納された被保冷物の周囲温度とは、蓄冷材２の冷気の伝わり方によって若干異なることになるため、これらの温度の相関を予めとっておき、その相関に応じて被保冷物の周囲温度を把握することが考えられる。例えば、コンテナ１００の中央部分の温度が、蓄冷材２が収納された収納ポケット２１ａ〜２１ｄの周囲温度に対して２℃ほど高くなる場合は、上述した示温剤２７ａが示す色が青色から白色に変化した場合、コンテナ１００内に収納された被保冷物の周囲温度は、１０℃ではなく１２℃程度であることを把握することが考えられる。
【００４３】
それにより、コンテナ１００内に収納される被保冷物の周囲温度の変化を、収納ポケット２１ａ〜２１ｄの色を目視で確認するという簡易な方法で把握することができる。
【００４４】
また、収納ポケット２１ａ〜２１ｄに収納された蓄冷材２のうち、収納ポケット２１ｂに収納された蓄冷材２のみの保冷性能が劣化している場合は、収納ポケット２１ｂの周辺温度のみが上昇することになるため、図５（ｃ）に示すように、収納ポケット２１ｂのみが青色から白色に変化し、それにより、収納ポケット２１ｂに収納された蓄冷材２のみが劣化していることを把握することができる。この場合、収納ポケット２１ｂに収納された蓄冷材２のみを交換する処置を施すことにより、コンテナ１００内の温度が不均一になったり、コンテナ１００内の温度が上昇しやすくなったりすることを回避できる。
【００４５】
このように、複数の収納ポケット２１ａ〜２１ｄを有する構成とし、収納ポケット２１ａ〜２１ｄのそれぞれにて示温剤２７ａによる色変化が生じることにより、多くの蓄冷材２をコンテナ１００内に設置することができながらも、保冷性能が劣化した蓄冷材２のみを交換することができるようになる。
【００４６】
次に、収納ポケット２１ａ〜２１ｄからの蓄冷材２の取り出し方法について説明する。
【００４７】
図６は、図１に示した蓄冷用シート１の収納ポケット２１ａ〜２１ｄからの蓄冷材２の取り出し方法を説明するための図である。なお、図６においては、収納ポケット２１ａからの蓄冷材２の取り出し方法を示すが、収納ポケット２１ｂ〜２１ｄからの蓄冷材２の取り出し方法も同様である。
【００４８】
収納ポケット２１ａから蓄冷材２を取り出す場合は、まず、図６（ａ）に示すように、ベースシート１０に設けられた蓋部２３ａを捲り上げる。
【００４９】
そして、図６（ｂ）に示すように、この開口部２４ａから蓄冷材２を取り出していく。この際、ベースシート１０の２本のスリット２６ａに挟まれた領域を収納ポケット２１ａとは反対側に捲ることによって開口部２４ａを大きく開口させて蓄冷材２を収納ポケット２１ａから取り出すことになる。
【００５０】
このように、蓋部２３ａ〜２３ｄを捲り上げて開口部２４ａ〜２４ｄを大きく開口させ、この開口部２４ａ〜２４ｄから蓄冷材２を取り出す構成とすることにより、収納ポケット２１ａ〜２１ｄに収納された蓄冷材２を開口部２４ａ〜２４ｄから脱落しにくくすることができる。
【００５１】
（第２の実施の形態）
図７は、本発明の蓄冷用シートの第２の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【００５２】
本形態は図７に示すように、第１の実施の形態にて示したものに対して、ポケット用シート１２０に、収納ポケット１２１ａ〜１２１ｄのそれぞれについて、互いに異なる温度帯で色変化が生じる２つずつの示温剤１２７ａ，１２７ｂが付着している点のみが異なるものである。
【００５３】
示温剤１２７ａ，１２７ｂは、収納ポケット１２１ａ〜１２１ｄのそれぞれについて収納ポケット１２１ａ〜１２１ｄの並び方向に縞状に並んで付着している。すなわち、示温剤１２７ａ，１２７ｂは、収納ポケット１２１ａ〜１２１ｄのそれぞれにおいて互いに異なる位置に付着している。
【００５４】
上記のように構成された蓄冷用シート１０１においても、第１の実施の形態にて示したものと同様に、収納ポケット１２１ａ〜１２１ｄに蓄冷材２がそれぞれ収納された状態でコンテナ１００内に設置されて使用されることになる。
【００５５】
以下に、蓄冷用シート１０１による作用について説明する。
【００５６】
上述したように、ポケット用シート１２０には、収納ポケット１２１ａ〜１２１ｄのそれぞれについて２つずつの示温剤１２７ａ，１２７ｂが付着している。そのため、この示温剤１２７ａ，１２７ｂが示す色の変化によって、コンテナ１００内の温度変化を把握することができる。
【００５７】
図８は、図７に示したポケット用シート１２０に付着している示温剤１２７ａ，１２７ｂの特性を説明するための図である。また、図９は、図７に示した蓄冷用シート１０１における周囲温度による示温剤１２７ａ，１２７ｂが示す色の変化を示す図である。なお、図８中、示温剤１２７ａが青色を示している状態を右上がり斜線で示し、示温剤１２７ｂが赤色を示している状態を左上がり斜線で示し、示温剤１２７ａ，１２７ｂが白色を示している状態を斜線なしで示す。
【００５８】
図８に示すように、図７に示したポケット用シート１２０に付着している示温剤１２７ａは、第１の実施の形態にて示した示温剤２７ａと同様に、周囲温度が１０℃以下では青色を示しており、１０℃を境としてそれよりも周囲温度が高くなると白色に変化する。また、図７に示したポケット用シート１２０に付着している示温剤１２７ｂは、周囲温度が２０℃以下では赤色を示しており、２０℃を境としてそれよりも周囲温度が高くなると白色に変化する。
【００５９】
このような示温剤１２７ａ，１２７ｂを用いた場合、蓄冷材２を、例えば０℃に保冷した状態で収納ポケット１２１ａ〜１２１ｄにそれぞれ収納し、蓄冷用シート１０１を第１の実施の形態にて示したものと同様にコンテナ１００内に設置すると、初期状態においては、蓄冷材２が０℃からあまり変化していないため、収納ポケット１２１ａ〜１２１ｄの周囲温度は１０℃以下となり、図９（ａ）に示すように、収納ポケット１２１ａ〜１２１ｄはそれぞれ、収納ポケット１２１ａ〜１２１ｄの並び方向に青色と赤色とが並んだ状態となっている。
【００６０】
この状態から時間が経過し、蓄冷材２の温度が上昇し、それに伴って収納ポケット１２１ａ〜１２１ｄの周囲温度が上昇して１０℃を超えると、図９（ｂ）に示すように、示温剤１２７ｂにおいては色変化が生じないものの、示温剤１２７ａにて色変化が生じ、収納ポケット１２１ａ〜１２１ｄはそれぞれ、収納ポケット１２１ａ〜１２１ｄの並び方向に白色と赤色とが並んだ状態となる。
【００６１】
その後、蓄冷材２の温度がさらに上昇し、それに伴って収納ポケット１２１ａ〜１２１ｄの周囲温度が上昇して２０℃を超えると、図９（ｃ）に示すように、示温剤１２７ｂにおいても色変化が生じ、収納ポケット１２１ａ〜１２１ｄがそれぞれ白色となる。
【００６２】
これにより、収納ポケット１２１ａ〜１２１ｄの周囲温度が、１０℃以下であるのか、１０℃を超えて２０℃以下であるのか、また、２０℃を超えているのかを把握することができるようになる。そのため、コンテナ１００内に収納される被保冷物の保管のための適温に応じた温度にて色変化が生じる示温剤を用いることで、コンテナ１００内の温度変化によって被保冷物への悪影響が及んでしまうことを事前に回避することができる。例えば、コンテナ１００内に収納される被保冷物の保管のための適温が１０℃以上２０℃以下であれば、上述したように１０℃にて色変化が生じる示温剤１２７ａと２０℃にて色変化が生じる示温剤１２７ｂとを用い、示温剤１２７ａが示す色が青色から白色に変化した後に、被保冷物をコンテナ１００内に収納し、その後、示温剤１２７ｂが示す色が赤色から白色に変化した場合に蓄冷材２を取り換える等の処置を施せばよい。この際、第１の実施の形態にて示したものと同様に、収納ポケット１２１ａ〜１２１ｄの周囲温度と、コンテナ１００内に収納された被保冷物の周囲温度とは、蓄冷材２の冷気の伝わり方によって若干異なることになるため、これらの温度の相関を予めとっておき、その相関に応じて被保冷物の周囲温度を把握することが考えられる。
【００６３】
それにより、コンテナ１００内に収納される被保冷物の周囲温度の変化を、収納ポケット１２１ａ〜１２１ｄの色を目視で確認するという簡易な方法で多段階で把握することができる。
【００６４】
（第３の実施の形態）
図１０は、本発明の蓄冷用シートの第３の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【００６５】
本形態は図１０に示すように、第１の実施の形態にて示したものに対して、ポケット用シート２２０に、互いに異なる温度帯で色変化が生じる２種類の示温剤が混合されてなる示温剤２２７ｃが付着している点のみが異なるものである。２種類の示温剤は、互いに重ね合わされていても、本形態のように混合されている場合と同様の作用が生じるため、２種類の示温剤が混合されている構成についても、２種類の示温剤が重なり合うようにポケット用シート２２０に付着していると定義する。
【００６６】
上記のように構成された蓄冷用シート２０１においても、第１の実施の形態にて示したものと同様に、収納ポケット２２１ａ〜２２１ｄに蓄冷材２がそれぞれ収納された状態でコンテナ１００内に設置されて使用されることになる。
【００６７】
以下に、蓄冷用シート２０１による作用について説明する。
【００６８】
上述したように、ポケット用シート２２０には、２種類の示温剤が混合されてなる示温剤２２７ｃが付着している。そのため、この示温剤２２７ｃが示す色の変化によって、コンテナ１００内の温度変化を把握することができる。
【００６９】
図１１は、図１０に示したポケット用シート２２０に付着している示温剤２２７ｃの特性を説明するための図である。また、図１２は、図１０に示した蓄冷用シート２０１における周囲温度による示温剤２２７ｃが示す色の変化を示す図である。なお、図１２中、示温剤２２７ｃが紫色を示している状態をクロス斜線で示し、示温剤２２７ｃが赤色を示している状態を左上がり斜線で示し、示温剤２２７ｃが白色を示している状態を斜線なしで示す。
【００７０】
図１１に示すように、図１０に示したポケット用シート２２０に付着している示温剤２２７ｃは、第２の実施の形態にて示した示温剤１２７ａと示温剤１２７ｂとを混合したものである。そのため、周囲温度が１０℃以下では、示温剤１２７ａの青色と示温剤１２７ｂの赤色とが混じることで示温剤２２７ｃは紫色を示しており、１０℃を境としてそれよりも周囲温度が高くなり、かつ、２０℃以下では、示温剤１２７ａの白色と示温剤１２７ｂの赤色とが混じることで示温剤２２７ｃは赤色を示しており、２０℃を境としてそれよりも周囲温度が高くなると、示温剤１２７ａ，１２７ｂがともに白色に変化することにより示温剤２２７ｃは白色となる。
【００７１】
このような示温剤２２７ｃを用いた場合、蓄冷材２を、例えば０℃に保冷した状態で収納ポケット２２１ａ〜２２１ｄにそれぞれ収納し、蓄冷用シート２０１を第１の実施の形態にて示したものと同様にコンテナ１００内に設置すると、初期状態においては、蓄冷材２が０℃からあまり変化していないため、収納ポケット２２１ａ〜２２１ｄの周囲温度は１０℃以下となり、図１２（ａ）に示すように、収納ポケット２２１ａ〜２２１ｄはそれぞれ、示温剤１２７ａの青色と示温剤１２７ｂの赤色とが混じることで紫色を有している。
【００７２】
この状態から時間が経過し、蓄冷材２の温度が上昇し、それに伴って収納ポケット２２１ａ〜２２１ｄの周囲温度が上昇して１０℃を超えると、示温剤２２７ｃを構成する示温剤１２７ａ，１２７ｂのうち示温剤１２７ａのみにて青色から白色に色変化が生じることにより、図１２（ｂ）に示すように、収納ポケット２２１ａ〜２２１ｄはそれぞれ、示温剤１２７ａの白色と示温剤１２７ｂの赤色とが混じることで赤色となる。
【００７３】
その後、蓄冷材２の温度がさらに上昇し、それに伴って収納ポケット２２１ａ〜２２１ｄの周囲温度が上昇して２０℃を超えると、示温剤２２７ｃを構成する示温剤２１７ｂにおいても赤色から白色に色変化が生じ、図１２（ｃ）に示すように、収納ポケット２２１ａ〜２２１がそれぞれ白色となる。
【００７４】
これにより、収納ポケット２２１ａ〜２２１ｄの周囲温度が、１０℃以下であるのか、１０℃を超えて２０℃以下であるのか、また、２０℃を超えているのかを把握することができるようになる。そのため、コンテナ１００内に収納される被保冷物の保管のための適温に応じた温度にて色変化が生じる示温剤を用いることで、コンテナ１００内の温度変化によって被保冷物への悪影響が及んでしまうことを事前に回避することができる。例えば、コンテナ１００内に収納される被保冷物の保管のための適温が１０℃以上２０℃以下であれば、上述したように１０℃にて色変化が生じる示温剤１２７ａと２０℃にて色変化が生じる示温剤１２７ｂとが混合されてなる示温剤２２７ｃを用い、示温剤２２７ｃが示す色が紫色から赤色に変化した後に、被保冷物をコンテナ１００内に収納し、その後、示温剤２２７ｃが示す色が赤色から白色に変化した場合に蓄冷材２を取り換える等の処置を施せばよい。この際、第１の実施の形態にて示したものと同様に、収納ポケット２２１ａ〜２２１ｄの周囲温度と、コンテナ１００内に収納された被保冷物の周囲温度とは、蓄冷材２の冷気の伝わり方によって若干異なることになるため、これらの温度の相関を予めとっておき、その相関に応じて被保冷物の周囲温度を把握することが考えられる。
【００７５】
それにより、コンテナ１００内に収納される被保冷物の周囲温度の変化を、収納ポケット２２１ａ〜２２１ｄの色を目視で確認するという簡易な方法で多段階で把握することができる。
【００７６】
（第４の実施の形態）
図１３は、本発明の蓄冷用シートの第４の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【００７７】
本形態は図１３に示すように、第１の実施の形態にて示したものに対して、ポケット用シート３２０に、収納ポケット３２１ａ〜３２１ｄのそれぞれについて、収納ポケット３２１ａ〜３２１ｄの内部が視認可能となる窓部３２８ａ〜３２８ｄが設けられている点のみが異なるものである。
【００７８】
上記のように構成された蓄冷用シート３０１においても、第１の実施の形態にて示したものと同様に、収納ポケット３２１ａ〜３２１ｄに蓄冷材がそれぞれ収納された状態でコンテナ１００内に設置されて使用されることになる。
【００７９】
以下に、蓄冷用シート３０１による作用について説明する。
【００８０】
図１４は、図１３に示した蓄冷用シート３０１の使用状態における変化を示す図である。なお、図１４中、示温剤３２７ａが青色を示している状態を右上がり斜線で示し、示温剤３２７ａが白色を示している状態を斜線なしで示す。また、本形態においては、収納ポケット３２１ａ〜３２１ｄに収納される蓄冷材３０２が、第２の実施の形態にて示した示温剤１２７ｂを含有してなるものであって、示温剤１２７ｂが赤色を示している状態を左上がり斜線で示す。
【００８１】
図１３に示したポケット用シート３２０に付着している示温剤３２７ａは、第１の実施の形態にて示した示温剤２７ａと同様に、周囲温度が１０℃以下では青色を示しており、１０℃を境としてそれよりも周囲温度が高くなると白色に変化する。また、図１３に示した収納ポケット３２１ａ〜３２１ｄに収納される蓄冷材３０２に含有された示温剤１２７ｂは、周囲温度が２０℃以下では赤色を示しており、２０℃を境としてそれよりも周囲温度が高くなると白色に変化する。
【００８２】
このような構成においては、蓄冷材３０２を、例えば０℃に保冷した状態で収納ポケット３２１ａ〜３２１ｄにそれぞれ収納し、蓄冷用シート３０１を第１の実施の形態にて示したものと同様にコンテナ１００内に設置すると、初期状態においては、蓄冷材３０２が０℃からあまり変化していないため、収納ポケット３２１ａ〜３２１ｄの周囲温度は１０℃以下となり、図１４（ａ）に示すように、収納ポケット３２１ａ〜３２１ｄはそれぞれ青色になっている。また、収納ポケット３２１ａ〜３２１ｄにそれぞれ設けられた窓部３２８ａ〜３２８ｄからは、収納ポケット３２１ａ〜３２１ｄに収納された蓄冷材３０２が視認可能となっているが、この蓄冷材３０２に含有された示温剤１２７ｂが示す色は赤色となっており、それにより、窓部３２８ａ〜３２８ｄから赤色が視認される状態となっている。
【００８３】
この状態から時間が経過し、蓄冷材３０２の温度が上昇し、それに伴って収納ポケット３２１ａ〜３２１ｄの周囲温度が上昇して１０℃を超えると、図１４（ｂ）に示すように、蓄冷材３０２に含有された示温剤１２７ｂにおいては色変化が生じないものの、示温剤３２７ａにて色変化が生じ、収納ポケット３２１ａ〜３２１ｄはそれぞれ白色に変化する。
【００８４】
その後、蓄冷材３０２の温度がさらに上昇して２０℃を超えると、図１４（ｃ）に示すように、示温剤１２７ｂにて色変化が生じ、窓部３２８ａ〜３２８ｄから視認される色がそれぞれ白色となる。
【００８５】
これにより、収納ポケット３２１ａ〜３２１ｄの周囲温度が、１０℃以下であるのか、１０℃を超えて２０℃以下であるのか、また、２０℃を超えているのかを把握することができるようになる。そのため、コンテナ１００内に収納される被保冷物の保管のための適温に応じた温度にて色変化が生じる示温剤を用いることで、コンテナ１００内の温度変化によって被保冷物への悪影響が及んでしまうことを事前に回避することができる。例えば、コンテナ１００内に収納される被保冷物の保管のための適温が１０℃以上２０℃以下であれば、上述したように１０℃にて色変化が生じる示温剤３２７ａをポケットシート３２０に付着するとともに、２０℃にて色変化が生じる示温剤１２７ｂを蓄冷材３０２に含有し、示温剤３２７ａが示す色が青色から白色に変化した後に、被保冷物をコンテナ１００内に収納し、その後、蓄冷材３０２が示す色が赤色から白色に変化した場合に蓄冷材３０２を取り換える等の処置を施せばよい。この際、第１の実施の形態にて示したものと同様に、蓄冷材３０２の温度や収納ポケット２２１ａ〜２２１ｄの周囲温度と、コンテナ１００内に収納された被保冷物の周囲温度とは、蓄冷材３０２の冷気の伝わり方によって若干異なることになるため、これらの温度の相関を予めとっておき、その相関に応じて被保冷物の周囲温度を把握することが考えられる。
【００８６】
それにより、コンテナ１００内に収納される被保冷物の周囲温度の変化を、収納ポケット２２１ａ〜２２１ｄの色と、窓部３２８ａ〜３２８ｄから視認可能となる色とを目視で確認するという簡易な方法で多段階で把握することができる。
【００８７】
なお、第２〜第４の実施の形態においては、互いに異なる温度帯で色変化が生じる２種類の示温剤を用いたが、３つ以上の示温剤を用いてもよいことは言うまでもない。
【００８８】
また、上述した実施の形態においては、ポケット用シートの全面に示温剤が付着しているが、少なくとも一部に示温剤を付着させておけば、収納ポケットの周囲温度の変化を把握することができる。
【００８９】
また、上述した実施の形態においては、４つの収納ポケットを有する構成を例に挙げて説明したが、収納ポケットは複数でなく１つでもよい。例えば、上述した実施の形態のようにベースシートの一方の面にポケット用シートを縫合することによって収納ポケットを設けるのではなく、アルミ等からなる２枚のシートを重ね合わせ、その周囲を封着することによって収納ポケットを形成し、この収納ポケットに蓄冷材を収納する構成とすることが考えられる。その場合においても、収納ポケットの被保冷物が配置される面の少なくとも一部に示温剤を付着させることになる。
【符号の説明】
【００９０】
１，１０１，２０１，３０１    蓄冷用シート
２，３０２    蓄冷材
１０，１１０，２１０，３１０    ベースシート
１１，１０２，１１１，２１１，３１１    面ファスナー
２０，１２０，２２０，３２０    ポケット用シート
２１ａ〜２１ｄ，１２１ａ〜１２１ｄ，２２１ａ〜２２１ｄ，３２１ａ〜３２１ｄ    収納ポケット
２２ａ〜２２ｃ，１２２ａ〜１２２ｃ，２２２ａ〜２２２ｃ，３２２ａ〜３２２ｃ    縫合部
２３ａ〜２３ｄ，１２３ａ〜１２３ｄ，２２３ａ〜２２３ｄ，３２３ａ〜３２３ｄ    蓋部
２４ａ，１２４ａ，１２４ａ，１２４ａ    開口部
２６ａ〜２６ｄ    スリット
２７ａ，１２７ａ，１２７ｂ，２２７ｃ，３２７ａ    示温剤
３０，１３０，２３０，３３０    縁カバー
３１，１３１，２３１，    孔部
１００    コンテナ
１０３    突起
１０４    内壁
３２８ａ〜３２８ｄ    窓部
【図１】
2015087060.tif 000003
【図２】
2015087060.tif 000004
【図３】
2015087060.tif 000005
【図４】
2015087060.tif 000006
【図５】
2015087060.tif 000007
【図６】
2015087060.tif 000008
【図７】
2015087060.tif 000009
【図８】
2015087060.tif 000010
【図９】
2015087060.tif 000011
【図１０】
2015087060.tif 000012
【図１１】
2015087060.tif 000013
【図１２】
2015087060.tif 000014
【図１３】
2015087060.tif 000015
【図１４】
2015087060.tif 000016